【手続補正書】
【提出日】平成17年3月11日(2005.3.11)
【手続補正１】
【補正対象書類名】特許請求の範囲
【補正対象項目名】全文
【補正方法】変更
【補正の内容】
【特許請求の範囲】
【請求項１】
受光感度に固有のばらつきがある受光素子の受光結果を基に画像データを生成する所定の画像生成装置によって生成された画像データであるか否かを判定するデータ処理装置であって、
被判定対象の第１の画像データと、前記画像生成装置が生成した参照用の第２の画像データとの相関を検出する相関検出手段と、
前記相関検出手段が検出した前記相関を基に、前記第１の画像データが前記画像生成装置を用いて生成されたものであるか否かを判定する判定手段と
を有するデータ処理装置。
【請求項２】
前記相関検出手段は、第１の切り出し位置を基準に前記第１の画像データから第３の画像データを切り出し、第２の切り出し位置を基準に前記第２の画像データから第４の画像データを切り出し、前記第３の画像データと前記第４の画像データとの相関の検出を、前記第１の切り出し位置および前記第２の切り出し位置を変更して複数回行う
請求項１に記載のデータ処理装置。
【請求項３】
前記所定の画像生成装置を用いて複数の画像データを生成し、前記複数の画像データを平均化して前記第２の画像データを生成する参照画像生成手段
をさらに有し、
前記相関検出手段は、前記参照画像生成手段が生成した前記第２の画像データを用いて前記相関を検出する
請求項１に記載のデータ処理装置。
【請求項４】
前記画像生成装置が、前記複数の受光素子にレンズを介して光を入射させる場合に、
前記レンズの絞りが異なる複数の状態のそれぞれで光を前記受光素子に入射させて複数の前記第２の画像データを生成する参照画像生成手段
をさらに有し、
前記相関検出手段は、前記参照画像生成手段が生成した前記複数の第２の画像データを用いて前記相関を検出する
請求項１に記載のデータ処理装置。
【請求項５】
前記相関検出手段は、前記第１の画像データと前記第２の画像データとの間の前記相関を、前記受光素子に対応した画素データを単位として、前記第１の画像データの画像と前記第２の画像データの画像との相対位置を２次元上で順次ずらして検出した前記相関を示す相関データを生成する
請求項１に記載のデータ処理装置。
【請求項６】
前記相関検出手段は、
前記第１の画像データおよび前記第２の画像データを直交変換してそれぞれ第１の周波数成分データおよび第２の周波数成分データを生成する変換手段と、
前記第１の周波数成分データを構成する各々の複素数データを当該複素数データの絶対値で除算して第１の複素数データを生成し、前記第２の周波数成分データを構成する各々の複素数データを当該複素数データの絶対値で除算して第２の複素数データを生成する除算手段と、
前記第１の複素数データおよび前記第２の複素数データの一方を構成する各々の複素数データを複素共役な複素数データに置き換えた第３の複素数データを生成する置換手段と、
前記置換手段によって置き換えが行われていない前記第１の複素数データまたは前記第２の複素数データと、前記置換手段で生成された前記第３の複素数データとを乗算して第４の複素数データを生成する乗算手段と、
前記乗算手段が生成した前記第４の複素数データを逆直交変換して前記相関を示す相関データを生成する逆変換回路と
を有する
請求項５に記載のデータ処理装置。
【請求項７】
受光感度に固有のばらつきがある受光素子の受光結果を基に画像データを生成する所定の画像生成装置によって生成された画像データであるか否かを判定するデータ処理方法であって、
被判定対象の第１の画像データと、前記画像生成装置が生成した参照用の第２の画像データとの相関を検出する第１の工程と、
前記第１の工程で検出した前記相関を基に、前記第１の画像データが前記画像生成装置を用いて生成されたものであるか否かを判定する第２の工程と
を有するデータ処理方法。
【請求項８】
受光感度に固有のばらつきがある受光素子の受光結果を基に画像データを生成する所定の画像生成装置によって、被検体対象の第１の画像データが生成されたか否かを判定するデータ処理装置であって、
前記画像生成装置を用いて予め生成された参照用の複数の第２の画像データを保持する保持手段と、
前記第１の画像データと、前記保持手段が保持する前記第２の画像データとの相関を検出する相関検出手段と、
前記相関検出手段が検出した前記相関を基に、前記画像生成装置を用いて前記第１の画像データが生成されたものであるか否かを判定する判定手段と
を有するデータ処理装置。
【請求項９】
受光感度に固有のばらつきがある受光素子の受光結果を基に画像データを生成する所定の画像生成装置によって生成された画像データであるか否かを判定するデータ処理装置であって、
被判定対象の第１の画像データを構成する複数の第１のブロック画像データのそれぞれについて、当該第１のブロック画像データと、前記画像生成装置が生成した第２の画像データを構成する複数の第２のブロック画像データのうち当該第１のブロック画像データに対応する第２のブロック画像データとの間の相関を検出する相関検出手段と、
前記相関検出手段が検出した前記相関を基に、前記画像生成装置を用いて生成され生成された画像データを基に前記第１の画像データが生成されたか否かを判定する判定手段と
を有するデータ処理装置。
【請求項１０】
前記判定手段は、前記複数の第１のブロック画像データについて前記相関検出手段が検出した前記相関の分布を基に、前記判定を行う
請求項９に記載のデータ処理装置。
【請求項１１】
前記相関検出手段は、
前記第１の画像データおよび前記第２の画像データを直交変換してそれぞれ第１の周波数成分データおよび第２の周波数成分データを生成する変換手段と、
前記変換手段が生成した前記第１の周波数成分データが前記第２の周波数成分データに比べて振幅制限を強く受けるように、前記第１の周波数成分データを構成する各々の複素数データを基に第１の複素数データを生成し、前記第２の周波数成分データを構成する各々の複素数データを基に第２の複素数データを生成する演算手段と、
前記演算手段が生成した前記第１の複素数データおよび前記第２の複素数データの一方を構成する各々の複素数データを複素共役な複素数データに置き換えた第３の複素数データを生成する置換手段と、
前記置換手段によって置き換えが行われていない前記第１の複素数データまたは前記第２の複素数データと、前記置換手段で生成された前記第３の複素数データとを乗算して第４の複素数データを生成する乗算手段と、
前記乗算手段が生成した前記第４の複素数データを逆直交変換して前記相関を示す相関データを生成する逆変換回路と
を有する
請求項９に記載のデータ処理装置。
【請求項１２】
受光感度に固有のばらつきがある受光素子の受光結果を基に画像データを生成する所定の画像生成装置によって生成された画像データを、提供用の画像データとして登録するデータ処理装置であって、
被判定対象の第１の画像データとユーザ識別データとを含む登録要求を入力するインタフェースと、
前記ユーザ識別データと参照用の第２の前記画像データとを対応付けて記憶する記憶手段と、
前記インタフェースを介して入力した前記登録要求に含まれる前記ユーザ識別データを基に前記記憶手段から前記第２の画像データを読み出し、当該読み出した第２の画像データと、前記登録要求に含まれる前記第１の画像データとの相関を検出する相関検出手段と、
前記相関検出手段が検出した前記相関を基に、前記第１の画像データを前記提供用の画像データとして登録するか否かを判定する判定手段と
を有するデータ処理装置。
【手続補正２】
【補正対象書類名】明細書
【補正対象項目名】００１２
【補正方法】変更
【補正の内容】
【００１２】
第５の発明のデータ処理装置は、受光感度に固有のばらつきがある受光素子の受光結果を基に画像データを生成する画像生成装置によって被判定対象の第１の画像データが生成されたか否かを判定するデータ処理装置であって、前記画像生成装置を用いて予め生成された参照用の複数の第２の画像データを保持する保持手段と、前記第１の画像データと、前記保持手段が保持する前記第２の画像データとの相関を検出する相関検出手段と、前記相関検出手段が検出した前記相関を基に、前記画像生成装置を用いて前記第１の画像データが生成されたものであるか否かを判定する判定手段とを有する。
【手続補正３】
【補正対象書類名】明細書
【補正対象項目名】００２３
【補正方法】変更
【補正の内容】
【００２３】
第１３の発明のデータ処理装置は、前記相関検出手段は、前記第１の画像データおよび前記第２の画像データを直交変換してそれぞれ第１の周波数成分データおよび第２の周波数成分データを生成する変換手段と、前記変換手段が生成した前記第１の周波数成分データが前記第２の周波数成分データに比べて振幅制限を強く受けるように、前記第１の周波数成分データを構成する各々の複素数データを基に第１の複素数データを生成し、前記第２の周波数成分データを構成する各々の複素数データを基に第２の複素数データを生成する演算手段と、前記演算手段が生成した前記第１の複素数データおよび前記第２の複素数データの一方を構成する各々の複素数データを複素共役な複素数データに置き換えた第３の複素数データを生成する置換手段と、前記置換手段によって置き換えが行われていない前記第１の複素数データまたは前記第２の複素数データと、前記置換手段で生成された前記第３の複素数データとを乗算して第４の複素数データを生成する乗算手段と、前記乗算手段が生成した前記第４の複素数データを逆直交変換して前記相関を示す相関データを生成する逆変換回路とを有する。